(57)【特許請求の範囲】
【請求項１】
頭髪の調髪用のヘアーカッターにおいて、
把持部と、この把持部の先端に設けられる刃部と、この刃部を加熱する加熱手段とを有し、
前記刃部は一対の支持プレートと、この支持プレート間に挿入された取付刃とからなり、
前記取付刃は一対の挟持片とこの挟持片に挟まれた刃本体からなり、
前記挟持片の一方には前記刃本体の刃先の長さ方向に沿って山部と谷部が交互に形成され、この山部は前記刃本体の刃先の位置で前記刃先にそって直線的に切断されており、前記挟持片の他方は前記刃本体の刃先まで達していないことを特徴とするヘアーカッター。
【発明の詳細な説明】
【技術分野】
【０００１】
本発明は、頭髪の調髪などに用いるヘアーカッターに関する。
【背景技術】
【０００２】
従来から理容店等において、ヘアーカッターにより髪を調髪することが知られている。ヘアーカッターによる調髪は、理容師、美容師の技術によって、質感、量感、立体感を生み出すことができるため、調髪に不自然さがなく、おしゃれなスタイルを作り上げることができる。しかし、ヘアーカッターで調髪を仕上げるためには、それなりの技術と腕の力が必要である。調髪技術がうまくなかったり、刃先が切れなかったり、毛髪を切断する力が足りなかったりすると、毛髪の切断面が粗く、引きちぎられたようになったり、あるいは、刃と刃の挟持片の間に毛髪が入って引き攣れたりし、これによって毛髪のキューティクルを傷つけてしまうと、毛髪がパサついたり、艶がなくなったり、櫛通りが悪くなるなどの原因になっていた。
【０００３】
なお、従来技術として現在報告されているヘアーカッターとしては、替刃ホルダーに２以上の替刃、替櫛を相互に上下にずらして段階的に備えたもの（特許文献１参照。）、刃に振動を与えるようにしたもの（特許文献２参照。）などがあるが、このような問題に必ずしも十分に対処できているとはいえない。
【特許文献１】特開２００２−１５９７６７号公報
【特許文献２】特開２００２−１７２２８０号公報
【発明の開示】
【発明が解決しようとする課題】
【０００４】
上述のように、ヘアーカッターによる髪の調髪は、調髪技術がうまくなかったり、刃先が切れなかったりすると、毛髪のキューティクルを傷つけてしまい、調髪後において髪がパサついたり、艶がなくなったり、櫛通りが悪くなるといった問題があった。
【０００５】
そこで、本発明は、上記事情を考慮し、調髪により毛髪のキューティクルが傷つくことを防止することができるヘアーカッターを提供することを目的とする。
【課題を解決するための手段】
【０００６】
請求項１に記載の発明は、頭髪の調髪用のヘアーカッターにおいて、把持部と、この把持部の先端に設けられる刃部と、この刃部を加熱する加熱手段とを有し、前記刃部は一対の支持プレートと、この支持プレート間に挿入された取付刃とからなり、前記取付刃は一対の挟持片とこの挟持片に挟まれた刃本体からなり、前記挟持片の一方には前記刃本体の刃先の長さ方向に沿って山部と谷部が交互に形成され、この山部は前記刃本体の刃先の位置で前記刃先にそって直線的に切断されており、前記挟持片の他方は前記刃本体の刃先まで達していないことを特徴とする。
【発明の効果】
【０００７】
請求項１に記載の発明によれば、刃本体を挟む挟持片の一方に山部と谷部が設けられていて、山部の先端が刃先の位置で刃先に沿って切断されていて、他方の前記挟持片は前記刃本体の刃先まで達していないため、髪の毛が挟持片と取付刃の間に挟まったり引き攣れたりすることがなく、安全にスムーズに毛髪の切断を行うことができる。
【発明を実施するための最良の形態】
【０００８】
次に、本発明のヘアーカッターの実施の形態について、図面を参照して説明する。
【０００９】
図１に本発明のヘアーカッターの一実施の形態の使用状態を、図２にその平面図を、図３にその正面図を、図４にその背面図を、図５にその底面図を、図６にその左側側面図を、図７にその右側側面図を示す。また図８に本発明のヘアーカッターの他の実施の形態の背面図を、さらに図１０に本発明のヘアーカッターのさらに他の実施の形態の正面図を示した。
図１乃至図７に示すように、第１の実施の形態のヘアーカッター１０は、把持部１２を備えている。この把持部１２は、全体として湾曲状に形成されており、凹部側１４と凸部側１６を有している。把持部１２の後端部近傍には使用時に小指を掛けるための開口部１８が形成されている。また、把持部１２の後端部には先端にコネクタ（図示省略）を備えたコード部（電圧印加部）２０が接続されている。このコネクタは、外部に設置されている電源に接続される。
【００１０】
また、把持部１２の先端部には、ヘッド部２２が設けられている。このヘッド部２２は、把持部１２と一体形成されている。また、ヘッド部２２と把持部１２との境界には、使用時に親指と人差し指とを位置させる押圧部２６Ａ、２６Ｂが形成されている。この押圧部２６Ａ、２６Ｂの表面は滑らかに湾曲している。このように、ヘアーカッター１０の使用時には、押圧部２６Ａ、２６Ｂに親指と人差し指とをそれぞれ位置させ、小指を開口部１８に引っ掛けることにより、ヘアーカッター１０を容易に操作することができる。また、把持部１２が湾曲しているため、把持部１２の凹部側１４に中指と薬指を載せることにより、ヘアーカッター１０を安定して支持することができるとともにヘアーカッター１０の操作性をさらに向上させることができる。
【００１１】
また、ヘッド部２２には、刃部を構成する一対の金属性の支持プレート２４Ａ、２４Ｂが設けられている。この支持プレート２４Ａ、２４Ｂの間には取付刃２８が挿入されている。この取付刃２８は、一対の金属性の狭持片（整髪部）３０Ａ、３０Ｂと、狭持片３０Ａ、３０Ｂの内部に配置された刃本体（刃）３２と、で構成されている。一方の狭持片３０Ｂの先端は、その長手方向に沿って山部と谷部とが交互に形成されている。また、刃本体３２の先端（刃先）は、狭持片３０Ａ、３０Ｂの山部と谷部との間に位置している。このように、取付刃２８は、支持プレート２４Ａ、２４Ｂの内部をスライドしてヘッド部２２に装着される。
この狭持片３０Ａ、３０Ｂは、図９に示すように整髪部の山部の曲線（点線）を刃本体３２の刃先の線で直線的に切断したような切断形状にすることもできる。このようにすると、髪の毛がこの曲線にそって流れて狭持片３０Ａ、３０Ｂと取付刃２８の間に挟まって、引き連れたりして利用者に不快感を与える虞がなく、安全スムーズなカットが可能になる。
さらに、支持プレート２４Ａ、２４Ｂの近傍には、支持プレート２４Ａ、２４Ｂの長手方向（図３及び図４中矢印Ａ方向）側にスライド可能に設けられた押出片（押出手段）３４が設けられている。押出片３４をスライドさせることにより、支持プレート２４Ａ、２４Ｂの内部に挿入されている取付刃２８が支持プレート２４Ａ、２４Ｂの外部に押し出される。
【００１２】
また、ヘッド部２２の内部には、支持プレート２４Ａ、２４Ｂに接続された電熱線（図示省略、発熱部）が収納されている。また、把持部１２にはスイッチ（制御部）３６が設けられており、スイッチ３６をＯＮにすることにより電熱線が発熱し、ＯＦＦにすると発熱が停止するようになっている。
【００１３】
次に、本実施の形態のヘアーカッター１０の作用及び効果について説明する。
【００１４】
ヘアーカッター１０を使用する際には、支持プレート２４Ａ、２４Ｂの間に取付刃２８を挿入する。挿入された状態では、取付刃２８を構成する狭持片３０Ａ、３０Ｂが支持プレート２４Ａ、２４Ｂと接触している。取付刃２８の挿入後、スイッチ３６をＯＮにすると、電熱線が発熱する。電熱線が発熱すると、電熱線と接続している支持プレート２４Ａ、２４Ｂに熱が伝わり、支持プレート２４Ａ、２４Ｂが加熱される。支持プレート２４Ａ、２４Ｂが加熱されると、支持プレート２４Ａ、２４Ｂと接触している狭持片３０Ａ、３０Ｂが加熱され、狭持片３０Ａ、３０Ｂの内部に配置されている刃本体３２も加熱される。これにより、刃本体３２は、例えば２００℃に加熱される。
なお、刃本体３２の温度は、２００℃に限定されるものではなく、１００℃以上３００℃以下の範囲、好ましくは１３０℃以上２２０℃以下の範囲であればよい。すなわち、刃本体３２の温度が３００℃より高いと髪のキューティクルを傷つけてしまうため不適当であり、１００℃より低いと加熱の効果が殆どなく不適当であるため、１００℃以上３００℃以下の範囲に、好ましくは１３０℃以上２２０℃以下の範囲になるよう設定する。
【００１５】
刃本体３２が加熱されると、調髪を開始できる。このとき、髪はヘアーカッター１０の刃本体３２で切断されていくが、刃本体３２が加熱されて刃の温度が２００℃程度になっているため、毛髪の切断時にキューティクルを傷つけてしまうことを防止できる。この結果、髪がパサつくことがなく、艶を失うことなく、櫛通りが滑らかになる。
【００１６】
また、髪の調髪時には、髪の一部が谷部に入り刃本体３２により切断されるが、髪の一部は山部により押し退けられ刃本体３２に接触せず切断されることがない。このため、髪の切断面が揃うことがなく、ヘアスタイルを自然な感じに仕上げることができる。
【００１７】
なお、調髪の終了後には、スイッチ３６をＯＦＦにし、押出片３４をスライドさせることにより、取付刃２８を支持プレート２４Ａ、２４Ｂの内部から外部（抜け出る方向）に押し出すことができる。これにより、取付刃２８を容易に支持プレート２４Ａ、２４Ｂの間から引き抜くことができる。また、ヘアーカッター１０の不使用時には、壁に備え付けられている引掛部（図示省略）を開口部１８に通してヘアーカッター１０を引っ掛けておくことができる。
【００１８】
次に、上記実施の形態のヘアーカッター１０の変形例について説明する。
【００１９】
上記実施の形態のヘアーカッター１０は、把持部１２とヘッド部２２が一体形成されている構成を例にとり説明したが、これに限られることはなく、例えば、把持部１２に回転軸（図示省略）を設け、ヘッド部２２が回転軸の軸回りに回転可能となる構成にし、ヘアーカッター１０の不使用時には、ヘッド部２２を把持部側に回転させるようにしても良い。これにより、ヘアーカッター１０をコンパクトなサイズに折り畳むことができ、不使用時に刃先からの安全を保つことができるとともに、大きな収納スペースが不要になる。また、ヘアーカッター１０をコンパクトなサイズにすることにより持ち運びし易くなる。
【００２０】
また、上記実施の形態のヘアーカッター１０は、コード部２０が把持部１２に固定されている構成を例にとり説明したが、これに限られることはなく、例えば、把持部１２に軸受け部（図示省略）を設け、コード部２０がこの軸受け部に回転可能に支持される構成にしてもよい。このようにすれば、ヘアーカッター１０の使用時において、把持部１２を回転させた場合でもコード部２０がねじれてしまうことがなく、ヘアーカッター１０が使い易くなる。
【００２１】
また、上記実施の形態のヘアーカッター１０は、一枚の取付刃２８が設けられた構成を例にとり説明したが、これに限られることはなく、例えば、複数の取付刃をヘッド部２２の厚み方向（図２及び図５中矢印Ｂ方向）に沿ってそれぞれ平行に設けてもよい。２枚の取付刃２８及び２９が設けられた場合の例を図８に示す。このとき、各取付刃２８、２９を所定の間隔を置いて設け、その刃本体３２、３３の刃先の位置を異ならせることにより、ヘアーカッター１０により切断する髪の長さにバリエーションを持たせることができ、自然なヘアスタイルに仕上げることができる。
【００２２】
さらに上記実施の形態のヘアーカッター１０に加振手段を設け、刃部の刃本体３２に振動を与えるようにすることもできる。図１０にこのような例のヘアーカッター１０の正面図を示す。このヘアーカッター１０には図示しないたとえば圧電素子などで構成される加振手段が設けられており、スイッチ３６によって、ヘアーカッター１０の制御を、発熱部と加振手段を共にオンする場合、発熱部のみをオンする場合、発熱部と加振手段を共にオフする場合に切り分けることができる。
【００２３】
この実施の形態では、加振部の働きにより、ヘアーカッター１０の刃部の刃本体３２に刃本体３２の長さ方向又は長さ方向に対して垂直な方向に振動を与えることができる。振動を与えると、理容師や美容師の調髪技術が例え劣っていても、毛髪の切断面が引きちぎられるように粗くなることを防止でき、刃本体３２の加熱と共に、切断面を滑らかにし、キューティクルを保護することになるので、毛髪がパサついたり、艶がなくなったりすることがない。
【００２４】
また、上記実施の形態のヘアーカッター１０に刃先の温度を表示する表示手段（図示省略）を設けることもできる。表示手段は例えばＬＥＤランプなどで構成し、刃先が適温である間は点灯し、温度が下がった場合には消灯するようにする。これにより、温度が低い場合にはヘアーカッター１０を使用しないようにでき、温度が低いときにカットすることで毛髪を痛める虞がなくなる。刃先が高温になりすぎたときはそれを示す別の表示手段を設けても良い。
【００２５】
また、支持プレート２４Ａ、２４Ｂの先端部近傍にストッパ（図示省略、抜け防止手段）を設けてもよい。このストッパは、ヘッド部２２にスライド可能に設けられており、スライドすることにより各支持プレート２４Ａ、２４Ｂ間の隙間を塞ぐように設けられている。これにより、支持プレート２４Ａ、２４Ｂの間に挿入された取付刃２８は、ストッパにより支持プレート２４Ａ、２４Ｂ間の隙間が塞がれているので、支持プレート２４Ａ、２４Ｂから抜け落ちることがない。
【００２６】
さらに、上記実施の形態のヘアーカッター１０の把持部１２にある凹部側１４と凸部側１６の位置を逆にして、把持部１２を逆側に湾曲させるようにしてもよい。これにより、使用者の趣味に合わせてヘアーカッター１０を使い易くすることができる。
【図面の簡単な説明】
【００２７】
【図１】本発明のヘアーカッターの使用状態を示した図である。
【図２】本発明のヘアーカッターの平面図である。
【図３】本発明のヘアーカッターの正面図である。
【図４】本発明のヘアーカッターの背面図である。
【図５】本発明のヘアーカッターの底面図である。
【図６】本発明のヘアーカッターの左側面図である。
【図７】本発明のヘアーカッターの右側面図である。
【図８】本発明のヘアーカッターの他の実施の形態の背面図である。
【図９】本発明のヘアーカッターの整髪部の拡大図である。
【図１０】本発明のさらに他のヘアーカッターの正面図である。
【符号の説明】
【００２８】
１０              ヘアーカッター
１２              把持部
１４              凹部側
１６              凸部側
１８              開口部
２０              コード部（電圧印加部）
２２              ヘッド部
２４Ａ、２４Ｂ    支持プレート
２５Ａ、２５Ｂ    支持プレート
２６Ａ、２６Ｂ    押圧部
２８              取付刃
２９              取付刃
３０Ａ、３０Ｂ    狭持片（整髪部）
３１Ａ、３１Ｂ    狭持片（整髪部）
３２              刃本体（刃）
３３              刃本体（刃）
３４              押出片（押出手段）
３６              スイッチ（制御部）
以上
【図１】
0003718675.tif 000002
【図２】
0003718675.tif 000003
【図３】
0003718675.tif 000004
【図４】
0003718675.tif 000005
【図５】
0003718675.tif 000006
【図６】
0003718675.tif 000007
【図７】
0003718675.tif 000008
【図８】
0003718675.tif 000009
【図９】
0003718675.tif 000010
【図１０】
0003718675.tif 000011